(57)【要約】【課題】段ボール箱製造装置を停止させることなく補充することができる蛇腹状段ボールシート積層体を提供する。【解決手段】本発明に係る蛇腹状段ボールシート積層体１１は、長尺段ボールシート１２が所定の長さ毎に蛇腹状に折り畳まれて積層された蛇腹積層部１３と、蛇腹積層部１３の最下層の長尺段ボールシート１２の端から延出した部分であって、蛇腹積層部１３から突出している継ぎしろ部１２ａとを備える。【選択図】図１
2020131475.tif 000002
【特許請求の範囲】
【請求項１】
長尺段ボールシートが所定の長さ毎に蛇腹状に折り畳まれて積層された蛇腹積層部と、
前記蛇腹積層部の最下層の前記長尺段ボールシートの端から延出した部分であって、前記蛇腹積層部から突出している継ぎしろ部と、
を備えた、蛇腹状段ボールシート積層体。
【請求項２】
前記蛇腹積層部の最上層の長尺段ボールシートの端に、前記継ぎしろ部の突出側とは反対の側に突出し、前記蛇腹積層部の高さと、該高さから前記継ぎしろ部の長さを減じた値の間の長さを有する第２継ぎしろ部を備えた、
請求項１に記載の蛇腹状段ボールシート積層体。
【請求項３】
前記継ぎしろ部の端部の厚さが前記長尺段ボールシートの他の部分の半分以下とされている、
請求項１に記載の蛇腹状段ボールシート積層体。
【請求項４】
前記継ぎしろ部の端部及び第２継ぎしろ部の端部の厚さがそれぞれ前記長尺段ボールシートの他の部分の半分以下とされている、
請求項２に記載の蛇腹状段ボールシート積層体。
【発明の詳細な説明】
【技術分野】
【０００１】
本発明は、多数の段ボール箱を連続して製造する際に用いる長尺段ボールシートの一種である蛇腹状段ボールシートに関する。
【背景技術】
【０００２】
段ボール箱は段ボールシートから所定の形状に切り出されたブランク（段ボールブランク）を折り曲げ、組み立てて製造され、縦、横、高さが標準的なサイズである定形品から、定形外のものまで様々な種類がある。段ボールブランクは、通常、１枚の板状の段ボールシートから切り出し、必要な箇所にスリットや罫線を入れることにより製造される。定形品の段ボール箱を製造するための段ボールブランクの製造に際しては、一定の長さによる切り出し、及び一定の箇所へのスリット・罫線入れを連続的且つ高速に行うことができるため、大量の段ボールブランクを安価に製造することができる。
【０００３】
しかし、近年、多様な被梱包物に対応して個別にサイズの異なる段ボール箱を製造したいという、いわゆるオンデマンドによる段ボール箱製造に対する要望が高まってきている。そのような場合、一定サイズの板状の段ボールシートから様々な展開形状の段ボールブランクを製造していたのでは、切り出しの無駄が多くなる。
【０００４】
そこで、長尺段ボールシートを予め製造して保管しておき、必要なときに必要な長さだけ引き出して、所望のサイズの段ボール箱に対応した段ボールブランクを切り出す装置が提案されている（例えば、特許文献１を参照）。この段ボールブランク製造装置は、ストックされた長尺段ボールシートを少しずつ引き出して搬送する搬送装置と、その搬送方向と直交する方向に切り込みを入れる横切装置と、前記搬送方向に沿って切り込みを入れる縦切装置とを備え、縦切装置は幅方向（搬送方向と直交する方向）に移動可能となっている。ストックから引き出された長尺段ボールシートは、まず、横切装置により必要な長さに切断され、更に、適宜の箇所に横切装置及び縦切装置で切り込み及びスリットを入れることにより、要求された形状及びサイズの段ボールブランクが製造される。なお、多くの場合、更に、適宜の箇所に罫線を入れる。
【０００５】
こうしたオンデマンドによる段ボール箱製造において、素材となる長尺段ボールシートが片面段ボールであれば、ロール状に巻き取ってストックしておくことができる。しかし、段ボール箱の素材として通常用いられる両面段ボールの場合、ロール状に巻き取ることは困難である。そこで、連続的に製造される両面段ボールを蛇腹状に折り畳み、その状態でストックしておいて、上記のようなオンデマンドによる段ボール箱製造に用いることが提案されている（例えば、非特許文献１を参照）。このように蛇腹状に折り畳むことで、両面段ボール、片面段ボールのいずれも長尺段ボールシートとして保管することが可能となる。
【先行技術文献】
【特許文献】
【０００６】
【特許文献１】国際公開第WO2014/119439号
【非特許文献】
【０００７】
【非特許文献１】BOX ON DEMAND MACHINE, Panotec S.R.L,[平成31年1月9日検索],インターネット<URL:http://www.boxondemand.it/en/box-on-demand-machines/>
【発明の概要】
【発明が解決しようとする課題】
【０００８】
上記のようなオンデマンドによる段ボール箱製造において、蛇腹状に折り畳まれた１枚の長尺段ボールシート（蛇腹状段ボールシート）の前端側から順次段ボールブランクを切り出していき、残りの蛇腹状段ボールシートの長さが所望の段ボールブランクに必要な長さに満たなくなると、新たな長尺段ボールシートを補充する必要がある。こうした補充作業を行う際には、段ボール箱製造装置を一旦停止させる必要があり、段ボール箱製造効率を低下させるとともに、余計な人手作業を要する。また、該残りの蛇腹状段ボールシートは廃棄されるため、僅かではあるが用紙の無駄が生じる。
【０００９】
本発明の課題は、段ボール箱製造装置を停止させることなく長尺段ボールシートを補充することができることである。
【課題を解決するための手段】
【００１０】
上記課題を解決するために成された本発明は、
長尺段ボールシートが所定の長さ毎に蛇腹状に折り畳まれて積層された蛇腹積層部と、
前記蛇腹積層部の最下層の前記長尺段ボールシートの端から延出した部分であって、前記蛇腹積層部から突出している継ぎしろ部と、
を備えていることを特徴とする蛇腹状段ボールシート積層体である。
【００１１】
本発明に係る蛇腹状段ボールシート積層体を用いた場合、蛇腹積層部から蛇腹状に折り畳まれた長尺段ボールシートを適宜の長さだけ引き出して、段ボール箱製造装置で使用中の、別の蛇腹状段ボールシート積層体の継ぎしろ部に、接続することにより、段ボール箱製造装置に新たな長尺段ボールシートをスムーズに補充することができる。また、予め、複数個の蛇腹状段ボールシート積層体を接続した状態で段ボール箱製造装置に供給することができる。
【００１２】
また、本発明に係る蛇腹状段ボールシート積層体の前記蛇腹積層部の最上層の前記長尺段ボールシートの端には、前記蛇腹積層部に関して、前記継ぎしろ部の突出側とは反対の側に突出し、前記蛇腹積層部の高さと、該高さから前記継ぎしろ部の長さを減じた値の間の長さを有する第２継ぎしろ部を備えていることが好ましい。
【００１３】
これら継ぎしろ部と第２継ぎしろ部を用いることにより、或る蛇腹状段ボールシート積層体に別の（次の）蛇腹状段ボールシート積層体を接続する際、両者の接続をスムーズに行うことができる。
【００１４】
さらに、前記継ぎしろ部及び前記第２継ぎしろ部の端部はそれぞれ厚さが、前記長尺段ボールシートの他の部分の半分以下とされていることが好ましい。これらはいずれも段ボールで構成されているため、このように厚さを半分以下とすることは、押圧することにより容易に行うことができる。
【００１５】
これにより、２つの蛇腹状段ボールシート積層体の一方の継ぎしろ部と他方の第２継ぎしろ部を接続した場合、該接続箇所とその前後の領域とで厚みに大きな差が生じない。よって、段ボール箱製造装置に前記長尺段ボールシートをスムーズに供給することが可能となる。
【発明の効果】
【００１６】
本発明に係る蛇腹状段ボールシート積層体を用いることにより、段ボール箱製造装置を停止させることなく、長尺段ボールシートを長時間に亘り連続的に供給することができる。
【図面の簡単な説明】
【００１７】
【図１】本発明に係る蛇腹状段ボールシート積層体の第１実施形態の全体図。
【図２】第１実施形態の蛇腹状段ボールシート積層体を構成する長尺段ボールシートの継ぎしろ部の拡大図。
【図３】第１実施形態の蛇腹状段ボールシート積層体を用いて段ボールブランクを製造する様子を示す概略図。
【図４】図３における、蛇腹積層部の長尺段ボールシートの第１継ぎしろ部と第２継ぎしろ部が接続された２つの、第１実施形態の蛇腹状段ボールシート積層体の拡大図。
【図５】２つの第１実施形態の蛇腹状段ボール積層体の一方の第１継ぎしろ部が接続された一方の第１継ぎしろ部の端部と他方の第２継ぎしろ部の端部の接続前の状態（ａ）及び接続後の状態（ｂ）を示す図。
【図６】本発明に係る蛇腹状段ボールシート積層体の第２実施形態の全体図。
【発明を実施するための形態】
【００１８】
＜第１実施形態＞
以下、本発明に係る蛇腹状段ボールシート積層体の第１実施形態について図１〜５を参照しつつ説明する。
【００１９】
＜１．構成＞
図１は、本実施形態の蛇腹状段ボールシート積層体１１の全体構成を示している。蛇腹状段ボールシート積層体１１は、両面段ボールシート１２が所定の長さ毎に蛇腹状に折り畳まれ積層された蛇腹積層部１３と、蛇腹積層部１３の最下層の両面段ボールシート１２の端から延出した部分であって、蛇腹積層部１３から突出している継ぎしろ部１２ａと、を備える。両面段ボールシート１２が本発明の長尺段ボールシートに相当する。通常、１つのパレットＰの上に１個の蛇腹状段ボールシート積層体１１が置かれた状態で保管される。
【００２０】
上記の蛇腹状段ボールシート積層体１１は、図示しない両面段ボール製造装置から連続的に供給されてくる両面段ボールシート（以下、長尺両面段ボールシートという）を用いて、以下の手順で製造することができる。
まず、長尺両面段ボールシートの端部から所定の長さＬ１の箇所に１個の折罫を付与し、そこから所定の長さＬ２毎に複数の折罫を付与する。折罫は、長尺両面段ボールシートの幅方向全体に付与してもよく、一部でもよい。また、幅方向の中央と両端部に断続的に折罫を付与してもよい。図１に示すように、長さＬ１は、継ぎしろ部１２ａ（以下、第１継ぎしろ部という）の突出している長さに対応し、長さＬ２は蛇腹積層部１３の横幅の長さに対応する。折罫をつける面は、長尺両面段ボールシートの片面又は両面いずれでもよいが、両面に打罫を付けることにより、長尺両面段ボールシートを表（おもて）面側、裏面側のどちらにも同様に折り畳むことができる。
【００２１】
次に、長尺両面段ボールシートを、その端部から長さＬ１の箇所に付与された折罫を起点に、そこから長さＬ２毎に付与されている複数の折罫の箇所で、長尺両面段ボールシートの表面側と裏面側それぞれが交互に上にくるよう、パレットＰ上で蛇腹状に折り畳む。折罫で折り畳む回数は予め設定されており、最後に折り畳まれる折罫の次の折罫の箇所で長尺両面段ボールシートを切断する。本実施形態では、例えば、切断した箇所が、上述した起点となる折罫の反対側に位置するように、折り畳む回数は偶数回に設定される。これにより、パレットＰの上面に、所定の長さの両面段ボールシート１２が蛇腹状に折り畳まれ、各層がほぼ水平な状態で積層される。
【００２２】
上記のようにして両面段ボールシート１２が蛇腹状に折り畳まれて積層されることにより、蛇腹積層部１３が形成される。本実施形態では、蛇腹積層部１３の高さＬ３が、折罫と折罫の間の長さＬ２の２倍よりもやや長くなるように、両面段ボールシート１２を折り畳む回数が設定されている。また、該蛇腹積層部１３の最下層から長さＬ１の端部が突出し、この部分が第１継ぎしろ部１２ａとなる。その後、図２に示すように、第１継ぎしろ部１２ａの端部１２１を厚さ方向に押圧して、元の厚さの半分以下にする。
【００２３】
さらに、蛇腹積層部１３の最上層の両面段ボールシート１２の端部１２ｂ（以下、継ぎしろ端部という）も、厚さ方向に押圧して、元の厚さの半分以下にしておく。このとき継ぎしろ端部１２ｂの長さが第１継ぎしろ部１２ａの端部１２１の長さと略同じになるようにする。なお、継ぎしろ端部１２ｂの長さ、及び第１継ぎしろ部１２ａの端部１２１の長さは、前記第１継ぎしろ部１２ａの長さＬ１の１／２〜１／５程度が好ましい。
【００２４】
＜２．使用態様＞
蛇腹状段ボールシート積層体１１の使用態様について、図３〜５を参照しながら説明する。
【００２５】
図３には、段ボール箱製造装置Ｍの一部である、給紙部５０と搬送路５１が示されている。この段ボール箱製造装置Ｍでは、搬送路５１の上流側（図３において給紙部５０よりも左側）の設置部５２に蛇腹状段ボールシート積層体１１が継ぎしろ端部１２ｂを給紙部５０側に向けて配置され、その蛇腹積層部１３の最上層から引き出された両面段ボールシート１２が給紙部５０に供給される。給紙部５０に供給された両面段ボールシート１２は、給紙部５０と搬送路５１により段ボールブランク製造部（図示せず）に搬送され、両面段ボールシート１２から段ボールブランクが切り出される。切り出された段ボールブランクは、その後、段ボール箱組立部（図示せず）に送られて段ボール箱に組み立てられる。
【００２６】
図３及び図４に示すように、設置部５２には複数の蛇腹状段ボールシート積層体１１を配置することができる。設置部５２に新たな蛇腹状段ボールシート積層体１１を補充する際は、事前にユーザが、その蛇腹積層部１３の最上層から２層分の両面段ボールシート１２を引き出して下に垂らしておく。蛇腹積層部１３の最上層において継ぎしろ端部１２ｂが第１継ぎしろ部１２ａとは反対側に位置していることから、継ぎしろ端部１２ｂは、第１継ぎしろ部１２ａとは反対側の蛇腹積層部１３の側面に沿って垂れ下がる。このとき、継ぎしろ端部１２ｂの先端が蛇腹積層部１３の最下層付近に位置するように、長さＬ２と高さＬ３が設定されている。
【００２７】
次に、２層分の両面段ボールシート１２が垂れ下がった状態の蛇腹状段ボールシート積層体１１を、継ぎしろ端部１２ｂが、設置部５２に既に配置されている別の蛇腹状段ボールシート積層体１１の第１継ぎしろ部１２ａの近くに来るように、該設置部５２に配置する。そして、その蛇腹状段ボールシート積層体１１の継ぎしろ端部１２ｂを、別の蛇腹状段ボールシート積層体１１の第１継ぎしろ部１２ａの端部１２１と重ね合わせて接続する。この場合、別の蛇腹状段ボールシート積層体１１は、その両面段ボールシート１２が給紙部５０に供給されている状態（つまり使用状態）のものでも良く、未使用状態のものでも良い。なお、第１継ぎしろ部１２ａの端部１２１と継ぎしろ端部１２ｂの接続には、両面テープ、接着剤、ホチキス、鋲等を用いることができる。また、第１継ぎしろ部１２ａの端部１２１と継ぎしろ端部１２ｂは、手作業で接続しても良く、適宜の接続装置を用いて自動的に接続しても良い。
【００２８】
図５（ａ）及び（ｂ）は、第１継ぎしろ部１２ａの端部１２１と継ぎしろ端部１２ｂを接続する前の状態、及び接続した状態を示している。これらの図から分かるように、第１継ぎしろ部１２ａの端部１２１及び継ぎしろ端部１２ｂの厚さは、元の厚さの半分程度であるため、両者を重ね合わせて接続しても、その接続部分の厚さは、両面段ボールシート１２の厚さとほぼ同じとなる。
【００２９】
このように、本実施形態では、複数の蛇腹状段ボールシート積層体１１を予め接続しておくことができ、両面段ボールシート１２を切れ目が無く厚みに大きな差のない状態で連続的に段ボール箱製造装置Ｍの給紙部５０へ送ることができる。
【００３０】
＜第２実施形態＞
以下、本発明に係る蛇腹状段ボールシート積層体の第２実施形態について、第１実施形態と異なる部分を中心に、図６を参照しつつ説明する。第１実施形態と同一箇所には同一符号を付している。
【００３１】
本実施形態の蛇腹状段ボールシート積層体２１は、蛇腹積層部２３と第１継ぎしろ部１２ａと第２継ぎしろ部２２ｂを備えており、第２継ぎしろ部２２ｂの構成が第１実施形態と異なっている。
【００３２】
第２継ぎしろ部２２ｂは、図６に示すように、第１継ぎしろ部１２ａの突出側とは反対側の蛇腹積層部２３の側面に沿って、該蛇腹積層部２３の最上層から最下層付近まで垂れ下がった部分から成る。第２継ぎしろ部２２ｂの長さＬ５は、蛇腹積層部２３の高さＬ４と、該高さＬ４から前記第１継ぎしろ部１２ａの長さＬ１を減じた値の間の長さに設定されている。
【００３３】
上記の蛇腹状段ボールシート積層体２１は、基本的には第１実施形態の蛇腹状段ボールシート積層体１１と同じ手順で製造されるが、最終工程が異なっている。すなわち、折罫が付与された長尺両面段ボールシートを、その端部から長さＬ１の箇所に付与された折罫を起点に複数の折罫の箇所で折り畳んで高さがＬ４の蛇腹積層部２３を形成した後、該蛇腹積層部２３の最上層の端部の折罫から長さＬ５の箇所で切断する。蛇腹積層部２３の最上層の端部の折罫から突出する長さＬ５の部分が第２継ぎしろ部２２ｂとなり、この第２継ぎしろ部２２ｂを蛇腹積層部２３の側面に沿うように下方に折り曲げる。その後、第２継ぎしろ部２２ｂの端部を厚さ方向に押圧し、元の厚さの半分以下にする。以上により、蛇腹状段ボールシート積層体２１が完成する。
【００３４】
上記構成により、本実施形態では、第２継ぎしろ部２２ｂが蛇腹積層部２３の最下層まで引き出す手間を省くことができる。
【００３５】
＜変形例＞
上記実施形態では、両面段ボールシートを用いて蛇腹状段ボールシート積層体を構成したが、片面段ボールを用いてもよい。
上記実施形態では、第１継ぎしろ部１２ａの端部１２１の厚みと継ぎしろ端部１２ｂ又は第２継ぎしろ部２２ｂの端部の厚みの両方を、元の厚みの半分以下にしたが、第１継ぎしろ部１２ａだけ、或いは、継ぎしろ端部１２ｂ又は第２継ぎしろ部２２ｂの端部だけ、その厚みを元の半分以下にしても良い。また、第１継ぎしろ部１２ａの端部１２１と継ぎしろ端部１２ｂ又は第２継ぎしろ部２２ｂの端部のいずれについても、元の厚みの半分以上にしても良く、或るいは厚みを小さくしなくても良い。例えば、第１継ぎしろ部の先端と継ぎしろ端部又は第２継ぎしろ部の先端を突き合わせて接続するような場合は、いずれの厚みも小さくする必要がない。
【００３６】
第１実施形態では、設置部５２に新たに補充する蛇腹状段ボールシート積層体１１の最上層から２層分の両面段ボールシートを引き出して下に垂らしておき、継ぎしろ端部１２ｂが蛇腹積層部１３の最下層付近に位置するようにして、設置部５２に既に配置されている別の蛇腹状段ボールシート積層体１１の第１継ぎしろ部１２ａの端部１２１と接続したが、新たに補充する蛇腹状段ボールシート積層体１１から３層分以上の両面段ボールシートを引き出した状態で、その継ぎしろ端部１２ｂと別の蛇腹状段ボールシート積層体１１の第１継ぎしろ部１２ａの端部１２１と接続しても良い。この場合は、新たに補充する蛇腹状段ボールシート積層体１１と、別の蛇腹状段ボールシート積層体１１と接近させなくても、継ぎしろ端部１２ｂと第１継ぎしろ部１２ａの端部１２１を接続することができる。
【００３７】
また、第１実施形態では、新たに補充する蛇腹状段ボールシート積層体１１の最上層から２層分の両面段ボールシートを引き出して下に垂らしたときに、継ぎしろ端部１２ｂが蛇腹積層部１３の最下層付近に位置するように、長さＬ２と長さＬ３を設定したが、両者の長さはそれぞれ互いに無関係に設定しても良い。
【符号の説明】
【００３８】
１１、２１…蛇腹状段ボールシート積層体
１２…両面段ボールシート
１２ａ…第１継ぎしろ部
１２１…第１継ぎしろ部の端部
１２ｂ…継ぎしろ端部
１３、２３…蛇腹積層部
２２ｂ…第２継ぎしろ部
Ｌ１…第１継ぎしろ部の長さ
Ｌ２…蛇腹積層部の折罫から折罫までの長さ
Ｌ３、Ｌ４…蛇腹積層部の高さ
Ｌ５…第２継ぎしろ部の長さ
【図１】
2020131475.tif 000003
【図２】
2020131475.tif 000004
【図３】
2020131475.tif 000005
【図４】
2020131475.tif 000006
【図５】
2020131475.tif 000007
【図６】
2020131475.tif 000008
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
長尺段ボールシートが所定の長さ毎に蛇腹状に折り畳まれて積層された蛇腹積層部と、
前記蛇腹積層部の最下層の前記長尺段ボールシートの端から延出した部分であって、前記蛇腹積層部から突出している継ぎしろ部と、
を備えた、蛇腹状段ボールシート積層体。
【請求項２】
前記蛇腹積層部の最上層の前記長尺段ボールシートの端に、前記継ぎしろ部の突出側とは反対の側に突出し、前記蛇腹積層部の高さと、該高さから前記継ぎしろ部の長さを減じた値の間の長さを有する第２継ぎしろ部を備えた、
請求項１に記載の蛇腹状段ボールシート積層体。
【請求項３】
前記継ぎしろ部の端部の厚さが前記長尺段ボールシートの他の部分の半分以下とされている、
請求項１に記載の蛇腹状段ボールシート積層体。
【請求項４】
前記継ぎしろ部の端部及び第２継ぎしろ部の端部の厚さがそれぞれ前記長尺段ボールシートの他の部分の半分以下とされている、
請求項２に記載の蛇腹状段ボールシート積層体。
【請求項５】
請求項１に記載の蛇腹状段ボールシート積層体を２個つなぎ合わせて連続段ボールシートを製造する方法であって、
前記２個の蛇腹状段ボールシート積層体のうちの一方の前記継ぎしろ部の先端と、他方の蛇腹状段ボールシート積層体の蛇腹積層部の最上層側の長尺段ボールシートの先端とを突き合わせる工程と、該突き合わせた部分に接着テープを貼り付ける工程とを有する、連続段ボールシートの製造方法。
【請求項６】
請求項２に記載の蛇腹状段ボールシート積層体を２個つなぎ合わせて連続段ボールシートを製造する方法であって、
前記２個の蛇腹状段ボールシート積層体のうちの一方の継ぎしろ部の先端と、他方の蛇腹状段ボールシート積層体の第２継ぎしろ部の先端とを突き合わせる工程と、該突き合わせた部分に接着テープを貼り付ける工程とを有する、連続段ボールシートの製造方法。
【請求項７】
請求項３に記載の蛇腹状段ボールシート積層体を２個つなぎ合わせて連続段ボールシートを製造する方法であって、
前記２個の蛇腹状段ボールシート積層体のうちの一方の前記継ぎしろ部の端部と、他方の蛇腹状段ボールシート積層体の蛇腹積層部の最上層側の長尺段ボールシートの端部とを重ね合わせる工程と、該重ね合わせた部分を接続する工程とを有する、連続段ボールシートの製造方法。
【請求項８】
請求項４に記載の蛇腹状段ボールシート積層体を２個つなぎ合わせて連続段ボールシートを製造する方法であって、
前記２個の蛇腹状段ボールシート積層体のうちの一方の継ぎしろ部の端部と、他方の蛇腹状段ボールシート積層体の第２継ぎしろ部の端部とを重ね合わせる工程と、該重ね合わせた部分を接続する工程とを有する、連続段ボールシートの製造方法。